(57)【要約】【課題】夏季等の室外温度が高く、日射がある時の室内温度を十分に低くできるカーテンウォールとする。【解決手段】枠体１１に室外側のパネル１２と室内側のパネル１３を取付けて空間を形成し、この空間における室外側のパネル１２寄りにブラインド１４を設け、このブラインド１４と室内側のパネル１３との間に中間空気層１５を形成し、この中間空気層１５を下部換気口１６、上部換気口１７で室外に開口して外気が流通するカーテンウォールユニット１０とし、この枠体１１を上下に隣接した床スラブ間に取付けてカーテンウォールとすることで、日射をブラインド１４で遮断して中間空気層１５の温度が高くならないようにし、それによって室外温度が高く、日射がある時の室内温度を十分に低くできる。【選択図】図５
2006328905.tif 000002
【特許請求の範囲】
【請求項１】
枠体に取付けた室内側のパネルと室外側のパネルとの間に空間を有し、その空間における室外側のパネル寄りにブラインドを設け、そのブラインドと室内側のパネルとの間に中間空気層を形成し、この中間空気層の下部が下部換気口で室外に連通し、かつその中間空気層の上部が上部換気口で室外に連通して中間空気層に外気が連通するカーテンウォールユニットとし、
このカーテンウォールユニットの枠体を、建物躯体の上下に隣接する床スラブ間に亘って取付けたことを特徴とするカーテンウォール。
【請求項２】
下部換気口は、上部開口と下部開口を有し、その上部開口はブラインドよりも室内寄りに形成されて中間空気層の下部に開口し、前記下部開口はブラインドよりも下方に形成されて室外に開口し、
上部換気口は、下部開口と上部開口を有し、その下部開口はブラインドよりも室内寄りに形成されて中間空気層の上部に開口し、前記上部開口はブラインドよりも上方に形成されて室外に開口し、
前記下部換気口の上部開口と上部換気口の下部開口とは上下方向に相対向して中間空気層内に外気が直線状に流通してブラインドと干渉しないようにした請求項１記載のカーテンウォール。
【請求項３】
下部換気口、上部換気口の幅は、カーテンウォールユニットの幅と略等しく、
前記上部換気口は、中間空気層の空気を斜め下向きに排出する構造であることを特徴とする請求項１記載のカーテンウォール。
【請求項４】
下部換気口の室外側部分と上部換気口の室外側部分に、複数のルーバー羽根を備えたルーバーをそれぞれ取付け、
この各ルーバーのルーバー羽根の上下寸法とブラインドのスラットの上下寸法を同じとし、その上下のルーバー羽根間の間隔と上下のスラット間の間隔を同じとすると共に、各ルーバー羽根と各スラットの室外側端部を室内外側方向に同一位置とした請求項１記載のカーテンウォール。
【発明の詳細な説明】
【技術分野】
【０００１】
本発明は、カーテンウォールに関する。
【背景技術】
【０００２】
特許文献１に、ダブルスキンカーテンウォールと呼ばれるカーテンウォールが開示されている。
前述のカーテンウォールは、建物躯体に室外側のパネルを取付けてアウタースキンとし、前記建物躯体に室内側のパネルを取付けてインナースキンとし、このアウタースキンとインナースキンとの間に空間を形成し、その空間内におけるインナースキン寄りにブラインドを設け、このブラインドとアウタースキンとの間の中間空気層に外気が流通するようにしてある。
一方、夏季においては、ブラインドで日射（太陽光）を遮断して室内に照射しないようにすると共に、中間空気層に外気が流通することで室内温度の上昇を防止できる。
【０００３】
【特許文献１】特開２００１−２５３７３４号公報
【発明の開示】
【発明が解決しようとする課題】
【０００４】
前述した従来のカーテンウォールは、ブラインドがインナースキン寄りに設けられ、このブラインドとアウタースキンとの間に外気が流通する中間空気層を形成しているので、その中間空気層の空気に日射が照射されることを防止できない。
このために、中間空気層の温度が日射によって高く、その中間空気層に外気が流通することによる室内温度の上昇防止効果が十分でなく、夏季等の室外温度が高く、日射がある時に室内温度をあまり低くすることができない。
【０００５】
本発明の目的は、夏季等の室外温度が高く、日射のある時に室内温度を十分に低くできるようにしたカーテンウォールを提供することである。
【課題を解決するための手段】
【０００６】
本発明は、枠体に取付けた室内側のパネルと室外側のパネルとの間に空間を有し、その空間における室外側のパネル寄りにブラインドを設け、そのブラインドと室内側のパネルとの間に中間空気層を形成し、この中間空気層の下部が下部換気口で室外に連通し、かつその中間空気層の上部が上部換気口で室外に連通して中間空気層に外気が連通するカーテンウォールユニットとし、
このカーテンウォールユニットの枠体を、建物躯体の上下に隣接する床スラブ間に亘って取付けたことを特徴とするカーテンウォールである。
【０００７】
本発明においては、その下部換気口は、上部開口と下部開口を有し、その上部開口はブラインドよりも室内寄りに形成されて中間空気層の下部に開口し、前記下部開口はブラインドよりも下方に形成されて室外に開口し、
上部換気口は、下部開口と上部開口を有し、その下部開口はブラインドよりも室内寄りに形成されて中間空気層の上部に開口し、前記上部開口はブラインドよりも上方に形成されて室外に開口し、
前記下部換気口の上部開口と上部換気口の下部開口とは上下方向に相対向して中間空気層内に外気が直線状に流通してブラインドと干渉しないようにすることができる。
【０００８】
このようにすれば、中間空気層に外気がスムーズに流通するので、室外温度が高く、日射がある時に室内温度をより十分に低くすることができる。
【０００９】
本発明においては、その下部換気口、上部換気口の幅は、カーテンウォールユニットの幅と略等しく、
前記上部換気口は、中間空気層の空気を斜め下向きに排出する構造とすることができる。
【００１０】
このようにすれば、上部換気口、下部換気口の幅がカーテンウォールユニットの幅と略等しいので、中間空気層の見込み寸法が小さくとも、その中間空気層に多量の空気が流通するので、ダブルスキンカーテンウォールとしての機能を満足できる。したがって、カーテンウォールユニットの枠体の見込み幅を小さくできるから、その枠体の各枠材を一体のアルミ押出形材とすることが可能である。
また、上部換気口から中間空気層の空気が斜め下向きに排出されるので、その上部換気口から排出された空気が、上のカーテンウォールの下部換気口から中間空気層に流入し難い。
したがって、夏季において中間空気層内で加熱された高温の空気が、上のカーテンウォールユニットの中間空気層内に導入され難く、室内温度の上昇を防止できる。
【００１１】
本発明においては、下部換気口の室外側部分と上部換気口の室外側部分に、複数のルーバー羽根を備えたルーバーをそれぞれ取付け、
この各ルーバーのルーバー羽根の上下寸法とブラインドのスラットの上下寸法を同じとし、その上下のルーバー羽根間の間隔と上下のスラット間の間隔を同じとすると共に、各ルーバー羽根と各スラットの室外側端部を室内外側方向に同一位置とすることができる。
【００１２】
このようにすれば、ルーバーによって外気の流れをスムーズにできる。
また、ブラインドの各スラット、各ルーバーのルーバー羽根が上下方向に連続した外観とすることができる。
【発明の効果】
【００１３】
本発明によれば、ブラインドで日射を遮断して中間空気層の温度が日射によって高くならないようにできるから、夏季等の室外温度が高く、日射のある時に室内温度を十分に低くできる。
また、工場等で枠体に室外側のパネルと室内側のパネルとブラインドを取付けて中間空気層を有するカーテンウォールユニットを組み立て、その枠体を建物躯体の床スラブ間に亘って取付けることで取付けできる。
したがって、建物躯体に室内側のパネルと室外側のパネルを簡単に取付けできる。
【発明を実施するための最良の形態】
【００１４】
図１と図２と図３に示すように、建物躯体１に複数のカーテンウォールユニット１０を上下、左右方向に順次隣接して取付けてカーテンウォールを構成している。
前記カーテンウォールユニット１０は、枠体１１に室外側のパネル１２（アウタースキン）と室内側のパネル１３（インナースキン）を取付け、この室外側のパネル１２と室内側のパネル１３との間に空間を有する。
前記空間における室外側のパネル１２寄りにブラインド１４を設け、このブラインド１４と室内側のパネル１３との間に中間空気層１５を形成している。
前記カーテンウォールユニット１０の下部に下部換気口１６を有し、上部に上部換気口１７を有する。
前記下部換気口１６は中間空気層１５の下部を室外に連通し、前記上部換気口１７は中間空気層１５の上部を室外に連通しており、中間空気層１５に外気が流通する。
前記室外側のパネル１２は遮音、防風の性能を保持する壁で、室内側のパネル１３は断熱、水密、気密、耐火などの性能を保持する壁で、中間空気層１５には前述のように外気が流通する。これによって、ダブルスキンタイプのカーテンウォールを構成している。
【００１５】
これにより、中間空気層１５が断熱層としての役割を有し、冬季においては外気によって室内温度が低下することを防止できる。
また、夏季等の室外温度が高く、日射がある時に、前記ブラインド１４で日射を遮断して中間空気層１５の温度が日射によって高くならないので、前記中間空気層１５に外気が流通することによる室内温度の上昇防止効果が十分で、室内温度を十分に低くできる。
【００１６】
次に、各部の構成について説明するが、その構成に限ることはない。
図２に示すように、前記下部換気口１６は上部開口１６ａと下部開口１６ｂを有する。その上部開口１６ａはブラインド１４よりも室内寄りに形成されて中間空気層１５の下部に開口し、前記下部開口１６ｂはブラインド１４よりも下方に形成されて室外に開口している。
前記上部換気口１７は下部開口１７ａと上部開口１７ｂを有する。その下部開口１７ａはブラインド１４よりも室内寄りに形成されて中間空気層１５の上部に開口し、前記上部開口１７ｂはブラインド１４よりも上方に形成されて室外に開口している。
前記下部換気口１６の上部開口１６ａと上部換気口１７の下部開口１７ａとは上下方向に相対向し、中間空気層１５内には外気が直線状に流通してブラインド１４と干渉しないようにしてある。
【００１７】
これによって、中間空気層１５に外気がスムーズに流通するので、室外温度が高く、日射がある時に室内温度を十分に低くすることができる。
【００１８】
前記カーテンウォールユニット１０はビジョン部１０ａとスパンドレル部１０ｂを備え、建物躯体１の上下の床スラブ２間に亘って取付けられる。
例えば、枠体１１の上部を上の階の床スラブ２にファスナー３で連結して取付け、その枠体１１の下部を下の階の床スラブ２の室外側部と対向させ、上のカーテンウォールユニット１０の枠体１１の下部と下のカーテンウォールユニット１０の枠体１１の上部を室内外側方向に動かないように連結する。
このようであるから、工場などで枠体１１に室外側のパネル１２と室内側のパネル１３を取付けると共に、ブラインド１４を取付けて中間空気層１５を有するカーテンウォールユニット１０を組み立て、そのカーテンウォールユニット１０を施工現場まで搬送し、その枠体１１を床スラブ２にファスナー３で連結することで取付けできる。
したがって、建物躯体１に室内側のパネル１２と室外側のパネル１３を簡単に取付けできる。
【００１９】
前記下部換気口１６はカーテンウォールユニット１０の幅方向（図１における左右方向）ほぼ全長に亘って形成され、この下部換気口１６には多量の空気がスムーズに流通する。
前記上部換気口１７はカーテンウォールユニット１０の幅方向（図１における左右方向）ほぼ全長に亘って形成され、この上部換気口１７には多量の空気がスムーズに流通する。
このようであるから、中間空気層１５の室内外側方向の寸法（見込み寸法）が小さくとも、その中間空気層１５に多量の空気が流通し、前述したダブルスキンカーテンウォールとしての機能を満足することができる。
したがって、カーテンウォールユニット１０の枠体１１の見込み幅を小さく、例えば４００ｍｍ以下にでき、その枠体１１を構成する各枠材を一体のアルミ押出形材とすることができる。
【００２０】
前述のようにした場合には、上部換気口１７は、中間空気層１５内の空気を斜め下向きに排出する形状とすることが好ましい。
つまり、前述のように下部換気口１６、上部換気口１７の幅がカーテンウォールユニット１０の幅と略等しいと、上下に隣接したカーテンウォールユニット１０における下のカーテンウォールユニット１０の上部換気口１７の上方に、上のカーテンウォールユニット１０の下部換気口１６が位置するので、その下のカーテンウォールユニット１０の上部換気口１７から排出された空気が上のカーテンウォールユニット１０の下部換気口１６から中間空気層１５内に導入され易く、夏季においては下のカーテンウォールユニット１０の中間空気層１５内で加熱された高温の空気が上のカーテンウォールユニット１０の中間空気層１５内に導入されるので、室内温度の上昇をあまり防止できないことがある。
【００２１】
このことを防止するために、上部換気口１７から中間空気層１５内の空気を斜め下向きに排出し、その排出された空気が上のカーテンウォールユニット１０の下部換気口１６から中間空気層１５内に導入され難くした。
【００２２】
次に、各部材の具体形状を説明する。
前記枠体１１は図１に示すように、上横枠材１１ａと下横枠材１１ｂと左右の縦枠材１１ｃで方形状で、図２に示すように、その左右の縦枠材１１ｃ間における室外側寄りで上部寄りに室外側中間横枠材１１ｄを連結してあると共に、左右の縦枠材１１ｃ間における室内側寄りで上部寄りに室内側中間横枠材１１ｅを連結してある。
前記室外側中間横枠材１１ｄは室内側中間横枠材１１ｅよりも上方に位置している。
前記縦枠材１１ｃは図３に示すように室内側から室外側まで連続した一体形状、例えばアルミ押出形材である。
【００２３】
図４と図５と図６に示すように、前記下横枠材１１ｂの室外側部と前記室外側中間横枠材１１ｄと左右の縦枠材１１ｃの室外側部に亘って前述の室外側のパネル１２、例えばガラスが装着されている。
図４と図５と図６に示すように、前記上横枠材１１ａの室内側部と前記室内側中間横枠材１１ｅとの間に、前記室内側のパネル１３である耐火パネル１３ａが、しっかりと水密、気密して取付けてあり、この耐火パネル１３ａ部分で前述のスパンドレル部１０ｂを構成する。
前記下横枠材１１ｂの室内側部と前記室内側中間横枠材１１ｅとに亘って前記室内側のパネル１３である面材１３ｂが、しっかりと水密、気密して取付けてあり、面材１３ｂ部分で前述のビジョン部１０ａを構成している。つまり、この面材１３ｂと耐火パネル１３ａで室内側のパネル１３としてある。
【００２４】
前記面材１３ｂは室内側に開放自在である。
例えば、図４と図６に示すように、下横枠材１１ｂの室内側部と室内側中間横枠材１１ｅとに亘って室内側縦枠材１１ｆを取付け、この室内側縦枠材１１ｆと室内側中間横枠材１１ｅと左右の縦枠材１１ｃの室内側部とで両側枠部１１ｇと中間枠部１１ｈを形成する。
前記両側枠部１１ｇに障子１８を室内側に向けて回動可能に取付けて開閉可能な面材１３ｂとし、この障子１８を室内側に回動して両側枠部１１ｇを開放することでブラインド１４等を保守、点検する。
前記中間枠部１１ｈにガラス１９を装着して固定の面材１３ｂとする。
【００２５】
前記下部換気口１６は図４に示すように、略Ｌ字形状で、中間空気層１５に開口した上部開口１６ａが上向きで、室外に開口した下部開口１６ｂが横向きである。
前記下部換気口１６は下横枠材１１ｂに形成してある。例えば下横枠材１１ｂを２つの部材で形成し、その２つの部材の間に下部換気口１６を形成する。
具体的には、室外側部材２０と室内側部材２１で下横枠材１１ｂとし、その室外側部材２０を左右の縦枠材１１ｃの室外側寄り間に連結し、かつ室内側部材２１を左右の縦枠材１１ｃの室内側寄り間に連結して、その室外側部材２０と室内側部材２１を室内外側方向に離隔し、その両者の間に下部換気通路２２を形成する。
この下部換気通路２２は略Ｌ字形状で、その上部（前述の上部開口１６ａ）にグリル２３を前記室外側部材２０と室内側部材２１とに亘って取付ける。
前記下部換気通路２２の下部（前述の下部開口１６ｂ）に下部換気口用のルーバー２４を取付ける。
つまり、下部換気口１６は上部開口１６ａにグリル２３を有し、下部開口１６ｂに下部換気口用のルーバー２４を有する。
【００２６】
前記室内側部材２１は縦向部２１ａと横向部２１ｂで略Ｌ字形状で、前記室外側部材２０は縦向部２１ａと対向して取付けられ、その室外側部材２０の室内側面と室内側部材２１の略Ｌ字状の室外側面とで下部換気通路２２を形成している。
そして、室外側部材２０と室内側部材２１の縦向部２１ａに亘ってグリル２３が取付けられる。前記室外側部材２０と室内側部材２１に亘って下部換気口用のルーバー２４が取付けられる。
前記室内側部材２１の室外側面２５は円弧形状に湾曲して空気の流れをスムーズに略９０度に変換できるようにしてある。
【００２７】
前記ルーバー２４は複数のルーバー羽根２６を備え、このルーバー羽根２６の上下寸法は前述のブラインド１４のスラット１４ａと同一で、そのルーバー羽根２６とスラット１４ａを室外側から見た時に同じ外観となる。上下のルーバー羽根２６の間隔は上下のスラット１４ａ間隔と同一である。この各ルーバー羽根２６の室外側端部２６ａ（ルーバー２４の室外側端部）は、前記スラット１４ａの室外側端部１４ｂと室内外側方向に同一位置である。
具体的には、図４と図７に示すように複数のルーバー羽根２６の室内側端部２６ｂにおける長手方向複数位置に縦骨２７を固着してルーバー２４とする。
この縦骨２７の上部と下部を取付金具２８で、前記下横枠材１１ｂの室外側部材２０の室内側部と室内側部材２１の横向部２１ｂの室外側部にそれぞれ固着してルーバー２４を取付けてある。
前記左右の縦枠材１１ｃにおける下横枠材１１ｂの室外側部材２０よりも下方に突出した下部室外側は切欠きされ、その切欠部２９からも空気が流通するようにしてある。
なお、前記下横枠材１１ｂを一体とし、下部換気口１６を加工して形成しても良い。
【００２８】
前記上部換気口１７は図５に示すように、上横枠材１１ａと室外側中間横枠材１１ｄとの間に形成されている。
つまり、上横枠材１１ａは縦枠材１１ｃの室内側寄りに固着され、室外側中間横枠材１１ｄは縦枠材１１ｃの室外側寄りに固着してあり、その室外側中間横枠材１１ｄの室内側面と室内側のパネル１３（耐火パネル１３ａ）の間に前述の下部開口１７ａを形成している。
前記上横枠材１１ａは室外側中間横枠材１１ｄよりも上方に位置し、その上横枠材１１ａの下面と室外側中間横枠材１１ｄの上面との間に前述の上部開口１７ｂを形成している。
【００２９】
前記上部開口１７ｂの室外側部分に上部換気口用のルーバー３０を取付け、中間空気層１５内の空気が斜め下向きに排出されるようにする。
前記ルーバー３０は複数のルーバー羽根３１を備え、この複数のルーバー羽根３１は上下方向に間隔を置いて斜め下向きに配設され、その各ルーバー羽根３１の上下寸法はブラインド１４のスラット１４ａの上下寸法と同じで、その室外側端部３１ａ（ルーバー３０の室外側端部）は、前記ブラインド１４のスラット１４ａの室外側端部１４ｂと室内外側方向に同一位置で、その上下のルーバー羽根３１の間隔は上下のスラット１４ａの間隔と同一である。つまり、２つのルーバー２４，３０は同一である。
具体的には複数のルーバー羽根３１の室内側端部３１ｂの長手方向に間隔を置いた複数の位置に縦骨３２が固着され、その縦骨３２の上部、下部が取付金具３３で上横枠材１１ａ、室外側中間横枠材１１ｄに固着されていると共に、その縦骨３２の下端部が室外側中間横枠材１１ｄの上面に当接している。
【００３０】
前記下部換気口用のルーバー２４はカーテンウォールユニット１０の下端部まで連続している。
前記上部換気口用のルーバー３０はカーテンウォールユニット１０の上端部まで連続している。
これによって、上のカーテンウォールユニット１０の下部換気口用のルーバー２４と下のカーテンウォールユニット１０の上部換気口用のルーバー３０は上下方向に連続し、その各ルーバー羽根２６，３１が図５に示すように上下方向に連続して一つのルーバーのように見えるから、外観の見栄えが良い。
【００３１】
また、ルーバー羽根２６，３１、スラット１４ａの上下寸法及び上下間隔が同じで、室外側端部の室内外側方向位置が同一であるから、ブラインド１４のスラット１４ａと、下部換気口用ルーバー２４のルーバー羽根２６と、上部換気口用のルーバー３０のルーバー羽根３１が上下方向に連続した外観となる。
【００３２】
前記ルーバー３０の各縦骨３２の上部間に亘って塞ぎ板３５が取付けてあり、その隣接した縦骨３２の上部間を塞いでいる。
例えば、塞ぎ板３５を横片と縦片を有する断面形状の長尺材とし、その縦片における各縦骨と対向した部分をそれぞれ切欠きし、その切欠き部に縦骨３２を嵌合すると共に、横片を縦骨３２の上端面に接して縦片の室外側面と縦骨３２の室外側面を面一として取付け、縦骨３２の上端面間と室外側面の上部寄り間を塞いでいる。
なお、塞ぎ板３５を隣接する縦板３２の側面間にそれぞれ取付けるようにしても良い。
これによって、上部開口１７ｂから流出する空気は縦骨３２の上部間を通って上方に流れることがなく、ルーバー羽根３１によって確実に斜め下向きに排出されるようにしてある。
【００３３】
前記下部換気口１６の下部開口１６ｂ、上部換気口１７の上部開口１７ｂには防鳥ネット３６がそれぞれ取付けてある。
【００３４】
前記ブラインド１４は図５に示すように、多数のスラット１４ａとヘッドボックス１４ｃを備え、そのヘッドボックス１４ｃに設けた駆動機構（図示せず）でスラット１４ａを紐１４ｄで昇降する。
前記ヘッドボックス１４ｃは室外側中間横枠材１１ｄに取付けてある。
【図面の簡単な説明】
【００３５】
【図１】カーテンウォールの一部外観図である。
【図２】図１のＡ−Ａ断面図である。
【図３】図１のＢ−Ｂ断面図である。
【図４】カーテンウォールユニットのビジョン部の拡大詳細縦断面図である。
【図５】カーテンウォールユニットのスパンドレル部の拡大詳細縦断面図である。
【図６】カーテンウォールユニットのビジョン部の拡大詳細横断面図である。
【図７】カーテンウォールユニットのスパンドレル部の拡大詳細外観図である。
【符号の説明】
【００３６】
１…建物躯体、２…床スラブ、３…ファスナー、１０…カーテンウォールユニット、１０ａ…ビジョン部、１０ｂ…スパンドレル部、１１…枠体、１１ａ…上横枠材、１１ｂ…下横枠材、１１ｃ…左右の縦枠材、１２…室内側のパネル、１３…室外側のパネル、１４…ブラインド、１４ａ…スラット、１５…中間空気層、１６…下部換気口、１７…上部換気口、２４…下部換気口用のルーバー、２６…ルーバー羽根、３０…上部換気口用のルーバー、３１…ルーバー羽根。
【図１】
2006328905.tif 000003
【図２】
2006328905.tif 000004
【図３】
2006328905.tif 000005
【図４】
2006328905.tif 000006
【図５】
2006328905.tif 000007
【図６】
2006328905.tif 000008
【図７】
2006328905.tif 000009